(57)【要約】【課題】手持ちカミソリの刃部の保護が行えることは勿論、安定した状態で種々な眉毛の手入れが行えるカバーを、簡単な構成によって提供すること。【解決手段】眉剃用カバー２０を、カミソリ本体１１の外側に嵌合して取り付けられるカバー本体２１と、このカバー本体２１の剃り刃１２側に形成されて、この剃り刃１２の刃部１２ａを部分的に露出させる複数の櫛歯２２〜２２とを備えたものとするとともに、各櫛歯２２を、先端側の長群と、手元側の短群と、これらの短群及び長群の間を段階的に変化させる傾斜群とに分けて、各櫛歯２２と刃部１２ａとの寸法が三段階で変化するようにしたこと。【選択図】図１
2005160915.tif 000002
【特許請求の範囲】
【請求項１】
カミソリ本体に剃り刃を固定したカミソリについて使用されるカミソリのための眉剃用カバーであって、
この眉剃用カバーを、前記カミソリ本体の外側に嵌合して取り付けられるカバー本体と、このカバー本体の前記剃り刃側に形成されて、この剃り刃の刃部を部分的に露出させる複数の櫛歯とを備えたものとするとともに、
前記各櫛歯を、先端側の長群と、手元側の短群と、これらの短群及び長群の間を段階的に変化させる傾斜群とに分けて、各櫛歯と刃部との寸法が三段階で変化するようにしたことを特徴とするカミソリのための眉剃用カバー。
【請求項２】
前記カバー本体及び各櫛歯の先端外面に、前記刃部と皮膚との角度を所定角度に保つための角度保持面を形成したことを特徴とする請求項１に記載のカミソリのための眉剃用カバー。
【請求項３】
前記カバー本体の前記櫛歯とは反対側部分に、整列櫛歯を一体的に設けたことを特徴とする請求項１または請求項２に記載のカミソリのための眉剃用カバー。
【発明の詳細な説明】
【技術分野】
【０００１】
本発明は、電気カミソリではない、長柄カミソリやＴ型カミソリ等の手持ちカミソリに使用されるカバーに関し、カミソリの刃部の保護を行えることは勿論、特に「眉の手入れ」を効果的に行えるようにしたカミソリのための眉剃用カバーに関するものである。
【背景技術】
【０００２】
手持ちカミソリは、そのままでは刃部が露出した状態にあるため、安全のためにもカミソリ本体をカバーによって覆うことが一般的に行われている。このような従来のカミソリ用カバーには「覆い」としての機能しかなく、カバー自体は特に重要視されるものではなかった。
【０００３】
また、カミソリについてみて見ると、通常のひげ剃り用からむだ毛処理用、あるいは男性用や女性用と種々なものが提案されているが、近年においては、「眉毛」の手入れが行えるようなカミソリも要望が高くなってきている。この眉毛の手入れは、通常の長柄カミソリ等によっても行えるが、カバーを外したカミソリによって眉毛の手入れを行うには相当の注意力がいるものである。
【０００４】
このため、本発明者は、例えばむだ毛処理用のカミソリが眉毛手入れにも使えるようにした技術がないか否かを検討したところ、特許文献１に示されているような「眉用かみそり」を見出したのである。
【特許文献１】特開平８−８４８号公報、要約、代表図、段落００１２、段落００１３
【発明の開示】
【発明が解決しようとする課題】
【０００５】
上記の特許文献１のかみそりは、当該文献の要約の記載からすると、「眉をきれいに仕上げることが容易に行える」ようにすることを目的としてなされたものであり、図５に示すように、「眉毛のカット用の刃２に沿って並ぶとともに刃２よりも突出する櫛歯３０を備える。この櫛歯３０は肌に当接する先端を結ぶ線と刃の刃先線とが交差して、刃の刃先から櫛歯の先端までの距離が刃先線に沿って漸次変化している。眉の上縁や下縁では眉毛の刈り高さを低く、中央では眉毛の刈り高さを高くカットすることができる」といった構成を有したものである。
【０００６】
この特許文献１のかみそりは、当該文献の段落００１２の記載からすると、「モータを内蔵する筒状の本体１の先端に設けたヘッド部１０の側面に、櫛歯状の固定刃と同じく櫛歯状であって上記モータによる往復直線駆動で固定刃に対して摺接駆動される可動刃とからなる刃２を配設」したものであり、所謂「電気カミソリ」である。
【０００７】
また、当該文献の段落００１３の記載からすると、この電気カミソリでは、「二列で並んでいる櫛歯３０は、その長さが一定ではなく、ヘッド部１０の先端側に位置する櫛歯３０が最も短く、ヘッド部１０の根元側に位置する櫛歯３０が最も長くなっているとともに、この間の櫛歯３０はその長さが徐々に変化するものとなっている。このために、各列における櫛歯３０の先端を結ぶ線Ｌ１と、刃２の刃先線Ｌ２とは、所要の角度で交差するものとなっているとともに、ヘッド部１０の長手方向において、刃２の刃先と、櫛歯３０の先端との間隔が漸次変化するものとなっている」ものである。
【０００８】
これにより、この特許文献１の発明では、特に段落００３１に記載されているように、「眉毛のカット用の刃に沿って並ぶとともに刃よりも突出している櫛歯を、肌に当接する先端を結ぶ線が刃の刃先線に交差して、刃の刃先から櫛歯の先端までの距離が刃先線に沿って漸次変化するものとしていることから、眉の上縁や下縁では眉毛の刈り高さを低く、中央では眉毛の刈り高さを高くしてカットすることを容易に行うことができるものであり、このために断面三角形状に眉の形を整えることが簡単に行えるものである」といった効果が得られるものと考えられる。
【０００９】
ところで、発明者等の検討によると、電気カミソリでは、モータによる往復直線駆動で固定刃に対して摺接駆動される可動刃を有しているのであるから、「剃り刃」または「柄」の移動操作は行わなくてもよく、「ヘッド部１０の先端側に位置する櫛歯３０が最も短く、ヘッド部１０の根元側に位置する櫛歯３０が最も長くなっている」ものとしてもよいが、このような技術を手持ちカミソリにそのまま応用することはできないものであることが判明した。
【００１０】
何故なら、手持ちカミソリは、刃部を支持している柄を手で持って一定の角度を維持しながら、刃部を肌あるいは眉毛に沿って移動させなければならないのに対し、電気カミソリではその移動操作は全く不要だからである。つまり、手持ちカミソリは、電気カミソリに比して非常に簡単な構造で安価に提供できる反面、柄に固定されている刃部を肌あるいは眉毛に沿って移動させて初めて「剃り」が行えるものなのであるから、「柄」を身体（顔）に近い方に位置させてその操作のための安定性を確保しなければならないものである。そして、特許文献１の電気カミソリでは、「断面三角形状に眉の形を整えること」を目的としていることもあって、「柄」は身体から大きく離れた状態にならざるを得ないものとなっているのである。
【００１１】
また、眉毛の手入れとしては、「断面三角形状に眉の形を整えること」だけに限らず、眉毛のむだ毛のそり落としや、量を減らす所謂「梳きカット」もある。このような眉毛の手入れ全般は、「断面三角形状に眉の形を整えること」だけを目的としたのでは、まして対象が手持ちカミソリであってみれば、「できない相談」である。
【００１２】
そこで、本発明者は、手持ちカミソリについて、カバーによって眉毛の手入れも行えるようにするにはどうしたらいか、について種々検討を重ねてきた結果、本発明を完成したのである。
【００１３】
すなわち、本発明の目的とするところは、手持ちカミソリの刃部の保護が行えることは勿論、安定した状態で種々な眉毛の手入れが行えるカバーを、簡単な構成によって提供することにある。
【課題を解決するための手段】
【００１４】
以上の課題を解決するために、まず、請求項１に係る発明の採った手段は、後述する最良の形態の説明中において使用する符号を付して説明すると、
「カミソリ本体１１に剃り刃１２を固定したカミソリ１０について使用されるカミソリのための眉剃用カバー２０であって、
この眉剃用カバー２０を、カミソリ本体１１の外側に嵌合して取り付けられるカバー本体２１と、このカバー本体２１の剃り刃１２側に形成されて、この剃り刃１２の刃部１２ａを部分的に露出させる複数の櫛歯２２〜２２とを備えたものとするとともに、
各櫛歯２２を、先端側の長群２２ａと、手元側の短群２２ｂと、これらの短群２２ｂ及び長群２２ａの間を段階的に変化させる傾斜群２２ｃとに分けて、各櫛歯２２と刃部１２ａとの寸法が三段階で変化するようにしたことを特徴とするカミソリのための眉剃用カバー２０」
である。
【００１５】
すなわち、この請求項１に係る眉剃用カバー２０は、そのカバー本体２１内の嵌合凹所２０ａを使用して、カミソリ１０の先端部に嵌合されるものであり、カミソリ１０側の剃り刃１２における刃部１２ａを保護するものであるが、嵌合時にこの剃り刃１２の刃部１２ａを部分的に露出させる複数の櫛歯２２をも有したものである。
【００１６】
これらの櫛歯２２は、特に図２及び図３に示すように、先端側の長群２２ａと、手元側の短群２２ｂと、これらの短群２２ｂ及び長群２２ａの間を段階的に変化させる傾斜群２２ｃとに分けたものであり、各櫛歯２２と刃部１２ａとの寸法を三段階に変化させるものである。
【００１７】
長群２２ａを構成している各櫛歯２２は、図２に示すように、この部分を皮膚に強く押し当てても、各櫛歯２２の先端と刃部１２ａとの間を長く保持することができるから、眉毛の梳き刈りや、異様に長く伸びた眉毛の先端除去が行える。つまり、この長群２２ａを構成している櫛歯２２は、眉毛の剃り落としを誤って行うことなく、眉毛の手入れが簡単に行えるのである。
【００１８】
これに対して、短群２２ｂを構成している各櫛歯２２は、その先端と刃部１２ａとの間の距離を最小限に短くしているから、眉毛の剃り落としや眉毛の外形の整えが行えるのである。
【００１９】
以上の長群２２ａ及び短群２２ｂを使用する場合、長群２２ａ及び短群２２ｂを構成している各櫛歯２２の先端は、カミソリ本体１１と略平行になっているから、カミソリ１０の柄１１ａも顔面と略平行に持てることになり、当該眉剃用カバー２０を嵌合したカミソリ１０を安定した状態で持つことができる。つまり、当該眉剃用カバー２０を嵌合したカミソリ１０は、眉毛の処理を、それ程注意力や熟練を要求されることなく安全に行えるものとなっているのである。
【００２０】
勿論、長群２２ａと短群２２ｂとの間には、図３にも示すように、櫛歯２２によって傾斜群２２ｃが形成されているのであり、長群２２ａと短群２２ｂとの使い分けを段階的な変化によって行えるのである。つまり、使用者が考えている眉毛の手入れの仕方と、各櫛歯２２の実際に眉毛に当たっている部分とが異なっていたとしても、この傾斜群２２ｃが存在することによって取り返しの付かない処理をすることなく、思った手入れ方法となるように長群２２ａまたは短群２２ｂに移行でき、使用者が思った通りの眉毛処理が行えるのである。
【００２１】
従って、この請求項１の眉剃用カバー２０は、安価に提供できるカミソリ１０について、その刃部１２ａの保護が行えることは勿論、安定した状態で種々な眉毛の手入れを行えるものとしているのである。
【００２２】
また、請求項２に係る発明の採った手段は、上記請求項１に記載のカミソリのための眉剃用カバー２０について、
「カバー本体２１及び各櫛歯２２の先端外面に、刃部１２ａと皮膚との角度を所定角度に保つための角度保持面２３ａ・２３ｂを形成したこと」
である。
【００２３】
すなわち、この請求項２の眉剃用カバー２０は、図３の（ｂ）及び図４の（ｂ）に示すように、カバー本体２１及び各櫛歯２２の先端外面に、刃部１２ａと皮膚との角度を所定角度に保つための角度保持面２３ａ・２３ｂを形成したものである。
【００２４】
これらの角度保持面２３ａ・２３ｂは、カミソリ１０の剃り刃１２を顔面に押し当てるにあたって、その力が使用者のクセによって異なっていたとしても、剃り刃１２に対する皮膚の角度、つまり処理されるべき眉毛の角度を最も適した状態に維持するものである。また、これの角度保持面２３ａ・２３ｂは、これが適正な状態で肌に当接していれば痛み等の違和感を発生させることはないのであるから、当該眉剃用カバー２０を適正な角度で使用しているのであることを使用者に感じさせるものでもある。
【００２５】
従って、この請求項２の眉剃用カバー２０は、上記請求項１のそれと同様な機能を発揮する他、眉毛の適正な手入れ角度を、使用者に感じさせるものであり、より効果的な眉毛手入れが行えるのである。
【００２６】
さらに、請求項３に係る発明の採った手段は、上記請求項１または請求項２に記載のカミソリのための眉剃用カバーについて、
「カバー本体２１の櫛歯２２とは反対側部分に、整列櫛歯２４を一体的に設けたこと」
である。
【００２７】
すなわち、この眉剃用カバー２０は、図１〜図３に示すように、整列櫛歯２４を有したものであるが、この整列櫛歯２４は要するに「眉毛のための櫛」である。
【００２８】
この整列櫛歯２４は、眉毛手入れのための櫛歯２２を使用する前に、眉毛に櫛を入れるものである。眉毛は、一定の方向に流れているものとは言え、全ての眉毛が一定の方向に流れているものとは限らない。そこで、眉毛の手入れを行う前に、この整列櫛歯２４を使用して眉毛を一定方向になるように櫛を入れるのである。そうすれば、眉毛の手入れが常に綺麗な状態で行えるのである。
【００２９】
勿論、この整列櫛歯２４は、櫛歯２２とは反対側に一体的に形成してあるのであるから、そ刃押さえ１３の使用はカミソリ１０の柄１１ａを１８０°回すだけでできるため、簡単な操作で使用できる。
【００３０】
従って、この請求項３の眉剃用カバー２０は、上記請求項１または請求項２のそれと同様な機能を発揮する他、眉毛の手入れ前の整理を行え、より効果的な眉毛手入れが行えるのである。
【発明の効果】
【００３１】
以上の通り、本発明においては、
「カミソリ本体１１に剃り刃１２を固定したカミソリ１０について使用されるカミソリのための眉剃用カバー２０であって、
この眉剃用カバー２０を、カミソリ本体１１の外側に嵌合して取り付けられるカバー本体２１と、このカバー本体２１の剃り刃１２側に形成されて、この剃り刃１２の刃部１２ａを部分的に露出させる複数の櫛歯２２〜２２とを備えたものとするとともに、
各櫛歯２２を、先端側の長群２２ａと、手元側の短群２２ｂと、これらの短群２２ｂ及び長群２２ａの間を段階的に変化させる傾斜群２２ｃとに分けて、各櫛歯２２と刃部１２ａとの寸法が三段階で変化するようにしたこと」
にその主たる特徴を有するものであり、これにより、安価に提供できるカミソリ１０について、その刃部１２ａの保護が行えることは勿論、安定した状態で種々な眉毛の手入れを行えるカミソリのための眉剃用カバー２０を簡単な構成によって提供することができるのである。
【発明を実施するための最良の形態】
【００３２】
次に、以上のように構成した各請求項に係る発明を、図面に示した最良の形態である眉剃用カバー２０について説明すると、図１には本発明に係る眉剃用カバー２０を、手持ちで長柄のカミソリ１０の先端に嵌合しようとしている状態が示してある。
【００３３】
カミソリ１０は、長いカミソリ本体１１の先端（図１では図示左側先端）に剃り刃１２を刃押さえ１３によって固定するようにした簡単な構造のもので、その図示右端部分は、当該カミソリ１０の操作を行う柄１１ａとなっているのである。勿論、剃り刃１２が刃押さえ１３による押さえと固定がカミソリ本体１１に対してなされていることにより、当該剃り刃１２の刃部１２ａは、カミソリ本体１１の図示下端に突出している。このようなカミソリ１０は、この最良形態における長柄タイプに限らず、所謂「Ｔ型」のものであってもよいものである。
【００３４】
図１に示したカミソリ１０の先端部に眉剃用カバー２０を嵌合すると、図２に示した状態になる。この眉剃用カバー２０は、例えば合成樹脂を材料として一体的に形成されるものであり、その外形を形成するカバー本体２１内に、図３の（ｂ）及び図４に示すような嵌合凹所２０ａが形成してある。この嵌合凹所２０ａ内には、上述したカミソリ１０の先端部が挿入され、当該眉剃用カバー２０のカミソリ１０に対する固定が行われるのである。
【００３５】
この眉剃用カバー２０のカバー本体２１の図示下側には、図１〜図３に示したように、多数の櫛歯２２が形成してあり、各櫛歯２２間には、例えば図３の（ａ）に拡大して示したように、眉毛を梳き通すための空間が形成してある。これらの複数の櫛歯２２は、先端側の長群２２ａと、手元側の短群２２ｂと、これらの短群２２ｂ及び長群２２ａの間を段階的に変化させる傾斜群２２ｃとに分けてあり、各櫛歯２２と刃部１２ａとの寸法が三段階で変化するようにしてある。
【００３６】
最良形態の長群２２ａを構成している各櫛歯２２は、図２に示したように、その各先端と刃部１２ａとの間を約４ｍｍの長さで保持することができるものであり、眉毛の梳き刈りや、異様に長く伸びた眉毛の先端除去、あるいは４ｍｍの長さでの眉毛の長さ調整が行えるものである。
【００３７】
これに対して、短群２２ｂを構成している各櫛歯２２は、その先端と刃部１２ａとの間の距離を最小限に短くしている、具体的には約２ｍｍにしているから、この長さでの眉毛の調整や剃り落とし、あるいは眉毛の外形の整えが行えるのである。
【００３８】
以上の長群２２ａ及び短群２２ｂを使用する場合、長群２２ａ及び短群２２ｂを構成している各櫛歯２２の先端は、カミソリ本体１１と略平行になっているから、カミソリ１０の柄１１ａも顔面と略平行に持てることになり、当該眉剃用カバー２０を嵌合したカミソリ１０を安定した状態で持つことができる。つまり、これらの長群２２ａ及び短群２２ｂは、当該眉剃用カバー２０を嵌合したカミソリ１０による眉毛の処理を、それ程注意力や熟練を要求されることなく安全に行えるものとしているのである。
【００３９】
また、長群２２ａと短群２２ｂとの間に形成してある傾斜群２２ｃは、図３にも示したように、長群２２ａと短群２２ｂとの間を滑らかに変化させるものであり、長群２２ａと短群２２ｂとの使い分けを段階的な変化によって行えるようにしているものである。
【００４０】
さらに、この最良形態に係る眉剃用カバー２０を構成しているカバー本体２１及び各櫛歯２２の先端外面には、刃部１２ａと皮膚との角度を所定角度に保つための角度保持面２３ａ・２３ｂが形成してある。
【００４１】
これらの角度保持面２３ａ・２３ｂは、カミソリ１０の剃り刃１２を顔面に押し当てるにあたって、その力が使用者のクセによって異なっていたとしても、剃り刃１２に対する皮膚の角度、つまり処理されるべき眉毛の角度を最も適した状態に維持するものである。また、これの角度保持面２３ａ・２３ｂは、これが適正な状態で肌に当接していれば痛み等の違和感を発生させることがないようにするものであり、当該眉剃用カバー２０を適正な角度で使用しているのであることを使用者に感じさせるものでもある。
【００４２】
また、本最良形態の眉剃用カバー２０においては、図１〜図３に示したように、そのカバー本体２１の櫛歯２２とは反対側部分に、整列櫛歯２４が一体的に設けてある。この整列櫛歯２４は、要するに「眉毛のための櫛」であって、眉毛手入れのための櫛歯２２を使用する前に、眉毛に櫛を入れるためのものである。つまり、この整列櫛歯２４は、眉毛の手入れを行う前に、これを使用して眉毛を一定方向になるように櫛を入れるものである。そうすれば、眉毛の手入れを常に綺麗な状態で行うことができるのである。
【００４３】
勿論、この整列櫛歯２４は、櫛歯２２とは反対側に一体的に形成してあるのであるから、そ刃押さえ１３の使用はカミソリ１０の柄１１ａを１８０°回すだけでできるため、簡単な操作で使用できる。
【図面の簡単な説明】
【００４４】
【図１】本発明に係る眉剃用カバーをカミソリの先端に嵌合使用としている正面図である。
【図２】同眉剃用カバーを嵌合したときのカミソリの正面図である。
【図３】同眉剃用カバーを拡大して示すもので、（イ）は眉剃用カバーの正面図、（ロ）は右側面図である。
【図４】同眉剃用カバーを構成しているカバー本体２１の形状を示すもので、（イ）〜（ハ）のそれぞれは、図３の（イ）中の１−１線、２−２線、３−３線に沿ってみた断面図である。
【図５】従来の技術を示す斜視図である。
【符号の説明】
【００４５】
１０    カミソリ
１１    カミソリ本体
１１ａ  柄
１２    剃り刃
１２ａ  刃部
１３    刃押さえ
２０    眉剃用カバー
２０ａ  嵌合凹所
２１    カバー本体
２２    櫛歯
２２ａ  長群
２２ｂ  短群
２２ｃ  傾斜群
２３ａ  櫛歯側角度保持面
２３ｂ  本体側角度保持面
２４    整列櫛歯
【図１】
2005160915.tif 000003
【図２】
2005160915.tif 000004
【図３】
2005160915.tif 000005
【図４】
2005160915.tif 000006
【図５】
2005160915.tif 000007